(57)【特許請求の範囲】
【請求項１】
画像を表示する表示パネルの周面を囲繞する外装体と、前記表示パネルの周縁部を前記外装体の外側から覆うカバーとを備える表示装置において、
前記カバーは、夫々が前記周縁部の一部を覆う複数のカバー分体からなり、
該複数のカバー分体夫々は、
前記表示パネルの表示面を覆う矩形板状の第１覆部と、
一辺が該第１覆部の一辺に連設しており、前記周面を覆う矩形板状の第２覆部と
を有し、
前記複数のカバー分体の中の少なくとも１つは、前記第２覆部から内向きに突出する突出部を有し、
前記外装体の前記周面を囲繞する部分に前記突出部の数以上の挿通孔が設けられており、
前記突出部は、先端部分に係止爪を有し、該係止爪が前記挿通孔の縁部と係止することによって固定されており、
前記突出部を有するカバー分体における前記第２覆部の両端面は、隣り合う２つのカバー分体夫々の前記第２覆部に当接し、
前記突出部を有するカバー分体における前記第１覆部は、前記２つのカバー分体夫々の前記第１覆部の端面に当接してあること
を特徴とする表示装置。
【請求項２】
前記挿通孔は、
断面が矩形状をなす第１孔と、
断面が該第１孔よりも小さい矩形状をなしており、前記第１孔の一辺側に連続している第２孔と
を有し、
前記突出部は、前記係止爪が前記第２孔の縁部と係止することによって固定されていること
を特徴とする請求項１に記載の表示装置。
【請求項３】
画像を表示する表示パネルの周面を囲繞し、該表示パネルの表示面の反対面を覆う外装体と、前記表示パネルの周縁部を前記外装体の外側から覆うカバーとを備える表示装置において、
前記カバーは、夫々が前記周縁部の一部を覆う複数のカバー分体からなり、
前記複数のカバー分体の中の少なくとも１つに内向きの突出部が設けられており、
前記外装体の前記周面を囲繞する部分に前記突出部の数以上の挿通孔が設けられており、
前記突出部は前記挿通孔に挿通され、
前記外装体の前記反対面を覆う部分と前記突出部とは螺子によって固定されていること
を特徴とする表示装置。
【請求項４】
請求項１から請求項３のいずれか１つに記載の表示装置と、
テレビジョン放送を受信する受信部と
を備え、
該受信部が受信したテレビジョン放送に基づいて、前記表示装置に画像を表示するようにしてあること
を特徴とするテレビジョン受信機。
【発明の詳細な説明】
【技術分野】
【０００１】
本発明は、画像を表示する表示装置及びテレビジョン受信機に関する。
【背景技術】
【０００２】
近年、液晶表示パネルを画像表示部として備える液晶表示装置は大型化している。液晶表示装置の液晶表示パネルは、矩形板状をなし、一面（前面）に画像を表示する表示面を有している。液晶表示パネルの後側には、液晶表示パネルの後面に光を照射する光源ユニットが配置されており、光源ユニットはバックライトシャーシによって支持されている。
【０００３】
液晶表示パネルの後面は、キャビネットによって、光源ユニット及びバックライトシャーシの後側から覆われている。液晶表示パネルにおける表示面の周縁部及び周面はカバーによって覆われている。カバーは樹脂の射出成形品である。
【０００４】
大型の液晶表示装置では液晶表示パネルの縦及び横の寸法が大きく、カバーを射出成形で製造する場合、大きな金型が必要であるため、製造費用が嵩むという問題点がある。
【０００５】
特許文献１には、液晶表示パネルの各辺部分が４つのベゼル構成枠材によって覆われている液晶モジュールが開示されている。
【０００６】
前述したカバーは、特許文献１に記載のベゼル構成枠材のように、液晶表示パネルの各辺における周縁部を覆う４つのカバー分体で構成することが可能であると考えられる。この場合、４つのカバー分体夫々を押出成形によって製造することが可能であり、押出成形では大嵩の金型が不要であるため、製造費用を安く抑えることができる。
【０００７】
一方、液晶表示装置においては薄型化及び軽量化が求められている。薄型化及び軽量化の要求に応えるために、キャビネットを用いずにバックライトシャーシを外装体として用いることが考えられる。バックライトシャーシを外装体として用いた液晶表示装置では、バックライトシャーシがキャビネットの役割を兼ねる。
【０００８】
以上のことから、薄くて軽い安価な液晶表示装置として、バックライトシャーシを外装体として構成し、かつ、液晶表示パネルの周縁部を覆うカバーが４つのカバー分体からなる液晶表示装置が考えられる。
【０００９】
図２０は一例として示す液晶表示装置の縦断面図である。図２０では、この液晶表示装置９の上部分が示されている。液晶表示装置９はバックライトシャーシ９０を備える。バックライトシャーシ９０は、矩形板状の底板９０ａと、底板９０ａの各辺から同一方向に立設した側壁９０ｂ，９０ｂ，９０ｂ，９０ｂ（図２０では１つのみを図示）とを有し、全体として一面が開放された箱体状をなしている。
【００１０】
バックライトシャーシ９０の底板９０ａには、反射シート９１、導光板９２、光学シート群９３及び液晶表示パネル９４が後側（図２０の右側）から前側に向かって順に積層されている。導光板９２には、導光板９２の一端面に対向するように配置された光源（図示せず）が発した光が入射する。
【００１１】
導光板９２に入射された光は、前面及び後面での反射を繰り返すことによって、導光板９２の内部を伝播する。導光板９２の後面では、導光板９２の後側に配置された反射シート９１の作用により、全反射が行われる。導光板９２の前面では、部分反射が行われ、導光板９２の内部を伝播する光の一部が外部へ出射される。導光板９２に入射された光が、前面及び後面で前述した反射を繰り返すことによって、導光板９２の前面から均一な光が出射される。
【００１２】
導光板９２の前面から出射された光は、視野拡大シート及び反射防止シート等からなる光学シート群９３を透過して液晶表示パネル９４の後面に照射される。光源、反射シート９１及び導光板９２によって光源ユニットが構成されている。
【００１３】
液晶表示パネル９４は、後面に照射された光を変調し、変調した光を透過させることにより、表示面に画像を表示する。
液晶表示パネル９４の上辺の周縁部は、カバー分体９５によって覆われている。カバー分体９５は、液晶表示パネル９４の周縁部を覆うカバーの一部である。カバー分体９５は押出成形によって製造される。
【００１４】
カバー分体９５は、液晶表示パネル９４の前側を覆っている矩形板状の前壁９５ａと、前壁９５ａの上辺から後側に突出しており、液晶表示パネル９４の上側の端面を覆っている上壁９５ｂと、前壁９５ａの中央部から上壁９５ｂと平行に後側に突出している矩形板状の２つ突出部９５ｃ，９５ｄとを有する。突出部９５ｃは、突出部９５ｄよりも上側に配置されている。突出部９５ｃ，９５ｄの間には溝９５ｅが設けられている。
【００１５】
カバー分体９５は、バックライトシャーシ９０の側壁９０ｂを上壁９５ｂ及び突出部９５ｃの間に位置させた後、前側からバックライトシャーシ９０に嵌め込まれる。このとき、前壁９５ａの下部分は、弾性部材９６を介して液晶表示パネル９４の表示面に当接し、該表示面の周縁部を覆っている。
【００１６】
バックライトシャーシ９０の底板９０ａには、カバー分体９５の溝９５ｅに対向する位置に螺子通し孔９０ｃが設けられている。カバー分体９５とバックライトシャーシ９０とは、螺子通し孔９０ｃに通した螺子９７を溝９５ｅに螺合させることによって固定されている。
【００１７】
以上のように構成された液晶表示装置９では、カバーを構成するカバー分体９５が押出成形によって形成されるために製造費用を安く抑えることができ、バックライトシャーシ９０がキャビネットの役割を兼ねるために薄型化及び軽量化の要求に応えることができる。
【先行技術文献】
【特許文献】
【００１８】
【特許文献１】特開２０１１−１３３５４６号公報
【発明の概要】
【発明が解決しようとする課題】
【００１９】
しかしながら、以上のように構成された液晶表示装置９は、カバー分体９５の前壁９５ａに、カバー分体９５をバックライトシャーシ９０に螺子止めによって固定するための溝９５ｅを備えているため、液晶表示パネル９４の表示面を縁取る前壁９５ａの幅が大きく、液晶表示装置９の外観が悪いという問題点がある。
同様の問題は、プラズマ表示パネル又は有機ＥＬ（Electro Luminescence）パネル等を表示パネルとして備える表示装置においても発生する。
【００２０】
本発明は斯かる事情に鑑みてなされたものであり、その目的とするところは、カバーにおいて表示パネルの表示面を縁取る部分の幅が狭く、外観が良好である表示装置及びテレビジョン受信機を提供することにある。
【課題を解決するための手段】
【００２１】
本発明に係る表示装置は、画像を表示する表示パネルの周面を囲繞する外装体と、前記表示パネルの周縁部を前記外装体の外側から覆うカバーとを備える表示装置において、前記カバーは、夫々が前記周縁部の一部を覆う複数のカバー分体からなり、該複数のカバー分体夫々は、前記表示パネルの表示面を覆う矩形板状の第１覆部と、一辺が該第１覆部の一辺に連設しており、前記周面を覆う矩形板状の第２覆部とを有し、前記複数のカバー分体の中の少なくとも１つは、前記第２覆部から内向きに突出する突出部を有し、前記外装体の前記周面を囲繞する部分に前記突出部の数以上の挿通孔が設けられており、前記突出部は、先端部分に係止爪を有し、該係止爪が前記挿通孔の縁部と係止することによって固定されており、前記突出部を有するカバー分体における前記第２覆部の両端面は、隣り合う２つのカバー分体夫々の前記第２覆部に当接し、前記突出部を有するカバー分体における前記第１覆部は、前記２つのカバー分体夫々の前記第１覆部の端面に当接してあることを特徴とする。
【００２２】
本発明にあっては、カバーは、画像を表示する表示パネルの周面を囲繞する外装体の外側から表示パネルの周縁部を覆い、夫々が表示パネルの周縁部の一部を覆う複数のカバー分体からなる。複数のカバー分体夫々は、矩形板状の第１覆部と、一辺が第１覆部の一辺に連設している矩形板状の第２覆部を有する。第１覆部は、表示パネルの表示面を覆い、第２覆部は表示パネルの周面を覆う。複数のカバー分体の中の少なくとも１つには、第２覆部から内向きに突出する突出部が設けられており、表示パネルの周面を囲繞する外装体の部分には、突出部の数以上の挿通孔が設けられている。複数のカバー分体の中の少なくとも１つに設けられた突出部は、先端部分に設けられた係止爪が挿通孔の縁部と係止することによって固定されている。突出部が設けられたカバー分体において、第２覆部の両端面は、隣り合う２つのカバー分体夫々の第２覆部に当接し、第１覆部は、隣り合う２つのカバー分体夫々の第１覆部の端面に当接してある。
【００２３】
従って、カバー分体において、表示パネルの表面に対向する部分に、カバー分体を外装体に固定するための溝を設ける必要がない。このため、カバーにおいて表示パネルを縁取る部分の幅が狭く、外観が良好である。
また、係止爪が挿通孔の縁部と係止することによって、突出部は、挿通孔に挿通した状態で固定されるので、突出部の固定に用いる固定具、例えば螺子が不要であり、部品点数を少なく、製造にかかる手間が軽減され、製造費用が安い。
更に、突出部が設けられたカバー分体における第２覆部の両端面は、隣り合う２つのカバー分体夫々の第２覆部に当接するため、突出部が設けられたカバー分体は、表示パネルの周面に沿って移動することはない。
【００２４】
本発明に係る表示装置は、前記挿通孔は、断面が矩形状をなす第１孔と、断面が該第１孔よりも小さい矩形状をなしており、前記第１孔の一辺側に連続している第２孔とを有し、前記突出部は、前記係止爪が前記第２孔の縁部と係止することによって固定されていることを特徴とする。
【００２５】
本発明にあっては、突出部は、先端部分に設けられた係止爪と、断面が矩形状をなす第２孔の縁部とが係止することによって固定されている。第２孔は、断面が第２孔よりも大きい矩形状をなす第１孔の一辺側に連続している。
【００２６】
これにより、第１孔に挿通させた後の第２孔へのスライドによって、挿通孔に挿通した状態で突出部を容易に固定することが可能となる。
【００２７】
本発明に係る表示装置は、画像を表示する表示パネルの周面を囲繞し、該表示パネルの表示面の反対面を覆う外装体と、前記表示パネルの周縁部を前記外装体の外側から覆うカバーとを備える表示装置において、前記カバーは、夫々が前記周縁部の一部を覆う複数のカバー分体からなり、前記複数のカバー分体の中の少なくとも１つに内向きの突出部が設けられており、前記外装体の前記周面を囲繞する部分に前記突出部の数以上の挿通孔が設けられており、前記突出部は前記挿通孔に挿通され、前記外装体の前記反対面を覆う部分と前記突出部とは螺子によって固定されていることを特徴とする。
【００２８】
本発明にあっては、カバーは、画面を表示する表示パネルの周面を囲繞する外装体の外側から表示パネルの周縁部を覆い、夫々が表示パネルの周縁部の一部を覆う複数のカバー分体からなる。外装体は表示パネルの表示面の反対面も覆っている。複数のカバー分体の中の少なくとも１つに設けられた内向きの突出部は、表示パネルの周面を囲繞する外装体の部分に、突出部の数以上に設けられた挿通孔の中の１つに挿通された状態で、螺子によって、表示パネルの表示面の反対面を覆う外装体の部分に確実に固定されている。
【００２９】
本発明に係るテレビジョン受信機は、前述の表示装置と、テレビジョン放送を受信する受信部とを備え、該受信部が受信したテレビジョン放送に基づいて、前記表示装置に画像を表示するようにしてあることを特徴とする。
【００３０】
本発明にあっては、受信部が受信したテレビジョン放送に基づく画像を前述の表示装置が表示する。このため、テレビジョン放送に基づく画像は外観が良好な表示装置によって表示される。
【発明の効果】
【００３１】
本発明によれば、表示パネルの周縁部の一部を覆うカバー分体に設けられた突出部が、表示パネルの周面を囲繞する外装体の部分に設けられた挿通孔に挿通された状態で固定されているので、カバーにおいて表示パネルの表示面を縁取る部分の幅が狭く、外観が良好である。
【図面の簡単な説明】
【００３２】
【図１】本発明の実施の形態１におけるテレビジョン受信機の外観を示す模式図である。
【図２】カバー分体を分離して取外した状態を示す正面図である。
【図３】カバー分体を分離して取外した状態を示す背面図である。
【図４】カバー分体の断面図である。
【図５】カバー分体及びバックライトシャーシ夫々の一部分を拡大した斜視図である。
【図６】カバー分体の取付手順の説明図である。
【図７】カバー分体の取付手順の説明図である。
【図８】カバー分体の取付状態を示す斜視図である。
【図９】カバー分体の取付手順の説明図である。
【図１０】カバー分体の取付状態を示す斜視図である。
【図１１】表示装置の縦断面図である。
【図１２】表示装置の縦断面図である。
【図１３】表示装置の右部分を示す横断面図である。
【図１４】表示装置の右部分を示す横断面図である。
【図１５】実施の形態２におけるカバー分体の断面図である。
【図１６】カバー分体及びバックライトシャーシ夫々の一部分を拡大した斜視図である。
【図１７】カバー分体の取付手順の説明図である。
【図１８】表示装置の縦断面図である。
【図１９】表示装置の右部分を示す横断面図である。
【図２０】一例として示す表示装置の縦断面図である。
【発明を実施するための形態】
【００３３】
以下、本発明をその実施の形態を示す図面に基づいて詳述する。
（実施の形態１）
図１は、本発明の実施の形態１におけるテレビジョン受信機の外観を示す模式図である。このテレビジョン受信機１は、表示装置１０、受信部１１、信号処理部１２及びスタンド１３を備えている。
【００３４】
表示装置１０は、画像を表示する矩形板状の表示パネル２２を備える。表示パネル２２の周縁部はカバー４によって覆われており、画像を表示する表示パネルの表示面は外部に露出してある。カバー４は、表示パネル２２の各辺に対応するカバー分体４１，４２，４３，４４からなっている。
【００３５】
また、表示パネル２２の表示面の反対面は、バックライトシャーシ２１によって覆われている。バックライトシャーシ２１は、後述の光源ユニットを支持し、表示装置１０の外装体として機能している。
【００３６】
受信部１１は、図示しないアンテナに接続されており、アンテナを介してテレビジョン放送を受信する。信号処理部１２は、受信部１１が受信したテレビジョン放送に係るデータを復調し、復調したデータから画像データを分離し、分離した画像データを出力する。表示パネル２２は、信号処理部１２が出力した画像データに基づく画像を表示面に表示する。
【００３７】
スタンド１３は、バックライトシャーシ２１の外側から突出するように設けられており、載置面、例えば床面に載置される。表示装置１０は、スタンド１３よって、表示パネル２２の表示面が載置面に対して垂直になるように支持された状態で使用される。使用状態にある表示装置１０において、スタンド１３側を下側とし、表示パネル２２側を前側とする。また、前側から表示パネル２２の表示面を見て左側及び右側を、表示装置１０の左側及び右側とする。
【００３８】
図２はカバー分体４１，４２，４３，４４を分離して取外した状態を示す正面図であり、図３はカバー分体４１，４２，４３，４４を分離して取外した状態を示す背面図であり、図４はカバー分体４１の断面図である。
【００３９】
なお、図２には、前側から見たバックライトシャーシ２１、表示パネル２２及び後述のＦＰＣ（Flexible Printed Circuit）２３，２３，２３，２３がカバー分体４１，４２，４３，４４と共に示されている。図３には、後側から見たバックライトシャーシ２１、ＦＰＣ２３，２３，２３，２３及び後述の制御回路２４がカバー分体４１，４２，４３，４４と共に示されている。
【００４０】
カバー４は、前述したように、カバー分体４１，４２，４３，４４からなる。カバー分体４１，４２，４３，４４夫々は、表示パネル２２の上側、左側、右側及び下側に配置される。
【００４１】
上側のカバー分体４１は、棒状であり、図４に示すような断面を有する。カバー分体４１は、前壁４１ａと、前壁４１ａの上辺から後側に突出している上壁４１ｂとを有する。図３及び図４に示すように、上壁４１ｂには、前壁４１ａと平行に突出している４つの突出部４１ｃ，４１ｃ，４１ｃ，４１ｃが前壁４１ａの上辺に沿って適当な間隔を隔てて設けられている。
【００４２】
突出部４１ｃは、左右方向を長手方向とする矩形板状をなしている。突出部４１ｃは、先端部分に前側に張り出す係止爪４１ｄを有する。
【００４３】
左側のカバー分体４２、及び、右側のカバー分体４３夫々は、カバー分体４１と同様の断面を有する。カバー分体４２は、前壁４２ａと、前壁４２ａの左辺から後側に突出している左壁４２ｂと、左壁４２ｂから前壁４２ａと平行に突出する３つの突出部４２ｃ，４２ｃ，４２ｃとを有する。カバー分体４３は、前壁４３ａと、前壁４３ａの右辺から後側に突出する右壁４３ｂと、右壁４３ｂから前壁４３ａと平行に突出する３つの突出部４３ｃ，４３ｃ，４３ｃとを有する。
【００４４】
図３に示すように、３つの突出部４２ｃ，４２ｃ，４２ｃ夫々は、前壁４２ａの左辺に沿って適当な間隔を隔てて設けられ、３つの突出部４３ｃ，４３ｃ，４３ｃ夫々は、前壁４３ａの右辺に沿って適当な間隔を隔てて設けられている。突出部４２ｃ，４３ｃ夫々も、先端部分に係止爪４１ｄと同様の形状をなす係止爪を有する。
【００４５】
カバー分体４２は、図２及び図３に示すように、上下の端部夫々に切欠を有している。上側の端部に設けられている切欠は前壁４２ａを切り欠くことによって、下側の端部に設けられている切欠は前壁４２ａと左壁４２ｂの前部とを切り欠くことによって設けられている。
【００４６】
カバー分体４３も、カバー分体４２と同様に、上下の端部夫々に切欠を有している。上端部に設けられている切欠は前壁４３ａを切り欠くことによって、下端部に設けられている切欠は前壁４３ａと右壁４２ｂの前部とを切り欠くことによって設けられている。
【００４７】
下側のカバー分体４４は、前壁４４ａと、前壁４４ａの下辺から後側に突出している下壁４４ｂとを有する（図１１参照）。前壁４４ａの中央部には、下壁４４ｂと平行に突出している突条４４ｃ，４４ｃ，・・・，４４ｃ，４４ｄ，４４ｄ，・・・，４４ｄが、図３に示すように、下壁４４ｂの下辺に沿って適当な間隔を隔てて設けられている。突条４４ｃ，４４ｃ，・・・，４４ｃ夫々は、突条４４ｄ，４４ｄ，・・・，４４ｄと隣り合っている。
【００４８】
図５はカバー分体４１，４３及びバックライトシャーシ２１夫々の一部を拡大した斜視図である。図５には、右上後方から見たカバー分体４１の右部分、カバー分体４３の上部分、及び、バックライトシャーシ２１の右上部分が示されている。
【００４９】
図２及び図５に示すように、バックライトシャーシ２１は、矩形板状の底板２１ａと、底板２１ａの上辺、左辺、右辺及び下辺夫々から前側に立設した上壁２１ｂ、左壁２１ｃ、右壁２１ｄ及び下壁２１ｅとを有し、全体として一面が開放された箱体状をなしている。上壁２１ｂ、左壁２１ｃ、右壁２１ｄ及び下壁２１ｅ夫々の高さは略等しい。
【００５０】
上壁２１ｂには挿通孔５が設けられている。挿通孔５は第１孔５１及び第２孔５２を有し、図５に示すように、第１孔５１及び第２孔５２夫々の断面は矩形状をなす。第１孔５１及び第２孔５２夫々の長手方向は一致している。
【００５１】
第２孔５２は、第１孔５１の一短辺側に連続し、第１孔５１の長手方向に延びている。第１孔５１の幅は、第２孔５２の幅よりも狭く、第２孔５２は第１孔よりも小さい。第１孔５１は右側に、第２孔５２は左側に設けられている。
【００５２】
第１孔５１は、突出部４１ｃの先端部分が挿通可能な幅及び長さを有し、第２孔５２は、突出部４１ｃの先端部分に設けられた係止爪４１ｄが第２孔５２の縁部に係止される幅を有する。
【００５３】
このため、突出部４１ｃを第１孔５１に挿通させた後、カバー分体４１を第２孔５２側にスライドさせることによって、突出部４１ｃに設けられた係止爪４１ｄを第２孔５２の縁部に係止させることができ、突出部４１ｃを容易に固定することができる。突出部４１ｃは、係止爪４１ｄが第２孔５２の縁部に係止することによって固定される。
【００５４】
図５には、上壁２１ｂの右端に位置する挿通孔５が示されており、この挿通孔５は、突出部４１ｃ，４１ｃ，４１ｃ，４１ｃに対応する上壁２１ｂの４箇所に設けられている。
【００５５】
図６はカバー分体４１の取付手順の説明図である。カバー分体４１をバックライトシャーシ２１の上壁２１ｂに取り付ける場合、図６の矢印で示すように、カバー分体４１の突出部４１ｃ，４１ｃ，４１ｃを上壁２１ｂに設けられている第１孔５１，５１，５１，５１に挿通させた後、カバー分体４１をバックライトシャーシ２１の左側にスライドさせる。これにより、突出部４１ｃに設けられた係止爪４１ｄが第２孔５２の縁部に係止するので、カバー分体４１がバックライトシャーシ２１の上壁２１ｂに取り付けられる。
【００５６】
図５に示すように、バックライトシャーシ２１の右壁２１ｄにも挿通孔５が設けられている。右壁２１ｄに設けられた挿通孔５については、第１孔５１は下側に、第２孔５２は上側に設けられている。
【００５７】
前述したように、突出部４３ｃは突出部４１ｃと同様の形状をなす。従って、突出部４３ｃを第１孔５１に挿通させた後、カバー分体４３を第２孔５２側にスライドさせることによって、突出部４３ｃに設けられた係止爪４３ｄを第２孔５２の縁部に係止させることができ、突出部４３ｃを容易に固定することできる。突出部４３ｃは、係止爪４３ｄが第２孔５２の縁部に係止することによって固定される。
【００５８】
図５には、右壁２１ｄの上端に位置する挿通孔５が示されており、この挿通孔５は、突出部４３ｃ，４３ｃ，４３ｃに対応する右壁２１ｄの３箇所に設けられている。
【００５９】
図７はカバー分体４２，４３の取付手順の説明図である。カバー分体４２，４３の取付は、図７に示すようにカバー分体４１をバックライトシャーシ２１の上壁２１ｂに取り付けた後に行われる。カバー分体４１が上壁２１ｂに取り付けられた後、カバー分体４１の両端はバックライトシャーシ２１から若干出っ張っている。
【００６０】
カバー分体４３をバックライトシャーシ２１の右壁２１ｄに取り付ける場合、図７の矢印で示すように、カバー分体４３の突出部４３ｃ，４３ｃ，４３ｃを右壁２１ｄに設けられている第１孔５１，５１，５１に挿通させた後、カバー分体４３をバックライトシャーシの上壁２１ｂ側にスライドさせる。これにより、突出部４１ｃに設けられた係止爪４３ｄ（図１３参照）が第２孔５２の縁部に係止するので、カバー分体４３がバックライトシャーシ２１の右壁２１ｄに取り付けられる。
【００６１】
バックライトシャーシ２１の左壁２１ｃにも、右壁２１ｄと同様に、３つの挿通孔５，５，５が設けられており、カバー分体４２は、カバー分体４３と同様にしてバックライトシャーシ２１の左壁２１ｃに取り付けられる。
【００６２】
図８はカバー分体４１，４３の取付状態を示す斜視図である。図８には、図１に示す表示装置１０の右上部分が拡大して示してある。カバー分体４３の上端部に設けられている切欠は、カバー分体４１における前壁４１ａの右端部に当接している。また、カバー分体４３の右壁４３ｂはカバー分体４１の上壁４１ｂに当接している。
【００６３】
カバー分体４１，４２の取付状態は、カバー分体４１，４３の取付状態と同様であり、カバー分体４２の上端部に設けられている切欠はカバー分体４１における前壁４１ａの左端部に当接し、カバー分体４２の左壁４２ｂはカバー分体４１の上壁４１ｂに当接している。
以上のように、カバー分体４１の両端部夫々がカバー分体４２，４３に当接するため、カバー分体４１が左右に動くことがなく、固定具、例えば螺子を用いずに、カバー分体４１を固定することができる。
【００６４】
図９はカバー分体４４の取付手順の説明図である。カバー分体４４の取付は、図９に示すようにカバー分体４１，４２，４３夫々を取り付けた後に行われる。
【００６５】
カバー分体４４は、表示パネル２２の下側を覆うように、前側からバックライトシャーシ２１に嵌め込まれる。バックライトシャーシ２１に嵌め込まれたカバー分体４４は、バックライトシャーシ２１の底板２１ａに外側から挿通されている後述の螺子３１が突条４４ｃ，４４ｄ間に設けられている後述の溝４４ｅに螺合することによって、底板２１ａに固定される（図１１参照）。
【００６６】
図３に示されている突条４４ｃ，４４ｃ，・・・，４４ｃ，４４ｄ，４４ｄ，・・・，４４ｄは、カバー分体４４が前側からバックライトシャーシ２１に嵌め込まれた場合に、図２に示すＦＰＣ２３，２３，２３，２３と重ならない位置に設けられている。
【００６７】
図１０は、カバー分体４３，４４の取付状態を示す斜視図である。図１０には、図１に示す表示装置１０の右下部分が拡大して示してある。カバー分体４３の下端部に設けられている切欠は、カバー分体４４の前壁４４ａ及び下壁４４ｂ夫々に当接している。また、カバー分体４３の右壁４３ｂはカバー分体４４の下壁４４ｂに当接している。このため、カバー分体４３が下側に動くことがなく、カバー分体４３の位置が決められる。
【００６８】
カバー分体４２，４４の取付状態は、カバー分体４３，４４の取付状態と同様であり、カバー分体４２の下端部に設けられている切欠はカバー分体４４の前壁４４ａ及び下壁４４ｂに当接し、カバー分体４２の左壁４２ｂはカバー分体４４の下壁４４ｂに当接している。このため、カバー分体４２が下側に動くことなく、カバー分体４２の位置が決められる。
【００６９】
図１１及び図１２は表示装置１０の縦断面図である。図１１には、突出部４１ｃが配置されていない位置での表示装置１０の断面が示されており、図１２には、突出部４１ｃが配置されている位置での表示装置１０の断面が示されている。
【００７０】
バックライトシャーシ２１の底板２１ａ上には、矩形状の反射シート２５と、矩形板状の導光板２６と、夫々が同様の矩形状をなす光学シート群２７と、表示パネル２２とが後側から前側に向かって順に密着した状態で積層されている。
【００７１】
バックライトシャーシ２１の上壁２１ｂ、左壁２１ｃ、右壁２１ｄ及び下壁２１ｅは、図２、図１１及び図１２に示すように、表示パネル２２の周面を囲繞しており、バックライトシャーシ２１の底板２１ａは表示パネル２２の後面は、表示パネル２２の後面を覆っている。
【００７２】
導光板２６の下端面２６ａの下側には、左右方向を長手方向とする矩形板状のＬＥＤ（Light Emitting Diode）基板２８が配置されている。ＬＥＤ基板２８の上面には、ＬＥＤ２９，２９，・・・，２９（図１１及び図１２夫々では１つのみを図示）がＬＥＤ基板２８の長手方向に沿って適当な間隔を隔てて設置されている。ＬＥＤ２９，２９，・・・，２９夫々は、導光板２６の下端面２６ａに向けて、図１１及び図１２夫々では矢印が示す方向に光を出射する。
【００７３】
ＬＥＤ基板２８の下面は放熱部３０に密着している。放熱部３０は、左右方向を長手方向とする矩形板状の２枚の平板が夫々の一方の長辺で連結することによって構成され、放熱部３０の断面はＬ字状をなしている。
【００７４】
放熱部３０の一方の平板は、他方の平板が上側に位置するように、バックライトシャーシ２１の底板２１ａに密着している。ＬＥＤ基板２８は、放熱部３０の他方の平板の上面に設置されている。
【００７５】
導光板２６は、例えばアクリル樹脂を用いてなる。ＬＥＤ２９，２９，・・・，２９夫々が出射した光は、下端面２６ａから導光板２６の内部に入射される。導光板２６に入射された光は、前面及び後面での反射を繰り返すことによって、導光板２６の内部を伝播する。
【００７６】
導光板２６の後面では、導光板２６の後側に配置された反射シート２５の作用により、全反射が行われる。導光板２６の前面では、部分反射が行われ、導光板２６の内部を伝播する光の一部が外部へ出射される。導光板２６に入射された光が、前面及び後面で前述した反射を繰り返すことによって、導光板２６の前面から均一な光が出射される。
【００７７】
導光板２６の前面から出射された光は、光学シート群２７を透過して、表示パネル２２の後面に照射される。ＬＥＤ２９，２９，・・・，２９、反射シート２５及び導光板２６によって表示パネル２２に光を照射する光源ユニットが構成されている。光学シート群２７は、視野拡大シート及び反射防止シート等、種々の光学的作用をなす複数枚の光学シートが積層されることによって構成されている。
【００７８】
表示パネル２２は、前側に配されたカラーフィルタ基板と、後側に配されたアレー基板との間に液晶を封入することによって構成されている。表示パネル２２の下辺部分には、図２に示すように、矩形のシート状をなすＦＰＣ２３，２３，２３，２３夫々の一端が適当な間隔を隔てて接続されている。ＦＰＣ２３，２３，２３，２３夫々には、カラーフィルタ基板及びアレー基板の間に封入された液晶に電圧を印加して表示パネル２２を駆動する駆動回路（図示せず）が実装されている。
【００７９】
表示パネル２２の左辺部分及び右辺部分夫々には、後述のＦＰＣ３４，３４，・・・，３４（図１３及び図１４参照）が設けられている。ＦＰＣ３４，３４，・・・，３４夫々にも、ＦＰＣ２３と同様に、カラーフィルタ基板及びアレー基板の間に封入された液晶に電圧を印加して表示パネル２２を駆動する駆動回路（図示せず）が実装されている。
【００８０】
表示パネル２２の後面に照射された光は、ＦＰＣ２３，２３，２３，２３，３４，３４，・・・，３４夫々に実装された駆動回路による液晶への電圧印加によって、表示パネル２２内で変調される。これにより、表示パネル２２の後面に照射された光の透過及び遮断が表示パネル２２によって行われ、表示パネル２２の表示面に画像が表示される。
【００８１】
バックライトシャーシ２１の下壁２１ｅの縁辺には、図２及び図１２に示すように、４つの切欠２１ｆ，２１ｆ，２１ｆ，２１ｆがＦＰＣ２３，２３，２３，２３に対応する位置に設けられている。表示パネル２２の下辺部分から垂下したＦＰＣ２３，２３，２３，２３夫々は、図２及び図１２に示すように、切欠２１ｆ，２１ｆ，２１ｆ，２１ｆに各別に通された状態で、後側に折り曲げられている。ＦＰＣ２３，２３，２３，２３夫々の他端は、図３及び図１２に示すように、制御回路２４に接続されている。制御回路２４は、回路カバー３３によって覆われている。
【００８２】
制御回路２４は、信号処理部１２が出力した画像データに基づいて、ＦＰＣ２３，２３，２３，２３夫々の駆動回路が液晶に印加する電圧を指示する。これにより、表示パネル２２の表示面には、信号処理部１２が出力した画像データに基づく画像が表示される。制御回路２４は、底板２１ａの後面の下側に取り付けられている。
【００８３】
カバー分体４１の前壁４１ａの下部分、及び、カバー分体４４の前壁４４ａの上部分夫々は、表示パネル２２の損傷を抑制する弾性部材３２，３２を介して表示パネル２２の表示面に当接し、表示パネル２２の表示面の上側及び下側を覆っている。カバー分体４１の上壁４１ｂ、及び、カバー分体４４の下壁４４ｂ夫々は、表示パネル２２の上端面及び下端面をバックライトシャーシ２１の外側から覆っている。
【００８４】
バックライトシャーシ２１の上壁２１ｂにおいて、挿通孔５，５，５，５は、表示パネル２２の後側に設けられている。カバー分体４１の突出部４１ｃ，４１ｃ，４１ｃ，４１ｃ夫々に設けられた係止爪４１ｄ，４１ｄ，４１ｄ，４１ｄは、表示パネル２２の後側に設けられた空間で、上壁２１ｂに設けられた挿通孔５，５，５，５夫々の縁部と係止し、カバー分体４１はバックライトシャーシ２１の上壁２１ｂに取り付けられている。突出部４１ｃ，４１ｃ，４１ｃ，４１ｃ夫々は、図１２に示すように、上壁４１ｂから表示装置１０の内向きに突出している。
【００８５】
カバー分体４４の前壁４４ａに設けられた突条４４ｃ，４４ｄは、図３及び図１１に示すように、矩形板状をなしており、突条４４ｃ，４４ｄの間には、左右方向に連続する溝４４ｅが設けられている。バックライトシャーシ２１の底板２１ａ、及び、放熱部３０の一方の平板夫々には、溝４４ｅに対向する位置に螺子通し孔２１ｇ，３０ａが設けられている。
【００８６】
放熱部３０及びカバー分体４４夫々は、バックライトシャーシ２１の後側から螺子通し孔２１ｇ，３０ａを通した螺子３１をカバー分体４４の溝４４ｅに螺合することによって、バックライトシャーシ２１の底板２１ａに固定されている。
【００８７】
図１３及び図１４は表示装置１０の右部分を示す横断面図である。表示パネル２２の右辺部分には、表示パネル２２の下辺部分と同様に、複数のＦＰＣ３４，３４，・・・，３４（図１３及び図１４には１つのみを図示）が設けられている。図１３には、表示パネル２２の右辺部分にＦＰＣ３４が接続されていない位置における表示装置１０の断面が示されており、図１４には、表示パネル２２の右辺部分にＦＰＣ３４が接続されている位置における表示装置１０の断面が示されている。
【００８８】
カバー分体４３の前壁４３ａの左部分は、弾性部材３２を介して表示パネル２２の表示面に当接し、表示パネル２２の表示面の右側を覆っている。カバー分体４３の右壁４３ｂは、表示パネル２２の右端面をバックライトシャーシ２１の外側から覆っている。
ＦＰＣ３４，３４，・・・，３４夫々の一端は、表示パネル２２の右辺部分に接続されており、ＦＰＣ３４，３４，・・・，３４は後側に折り曲げられている。
【００８９】
バックライトシャーシ２１の右壁２１ｄにおいて、挿通孔５，５，５夫々は、表示パネル２２の後側に設けられている。カバー分体４３の突出部４３ｃ，４３ｃ，４３ｃ夫々に設けられた係止爪４３ｄ，４３ｄ，４３ｄは、表示パネル２２の後側に設けられた空間で、右壁２１ｄに設けられた挿通孔５，５，５夫々の縁部と係止し、カバー分体４３はバックライトシャーシ２１の右壁２１ｄに取り付けられている。突出部４３ｃ，４３ｃ，４３ｃ夫々は、図１３に示すように、右壁４３ｂから表示装置１０の内向きに突出している。
表示パネル２２の右辺部分に接続されているＦＰＣ３４，３４，・・・，３４は、突出部４３ｃ，４３ｃ，４３ｃと重ならない位置に設けられている。
【００９０】
表示装置１０の左部分の横断面は、図１３及び図１４に示す表示装置１０の右部分の横断面と同様である。カバー分体４２は、カバー分体４３と同様に、バックライトシャーシ２１の左壁２１ｃに取り付けられている。
【００９１】
以上のように、表示パネル２２の上辺部分、左辺部分及び右辺部分夫々を覆うカバー分体４１，４２，４３夫々に設けられた突出部４１ｃ，４２ｃ，４３ｃは、バックライトシャーシ２１の上壁２１ｂ、左壁２１ｃ及び右壁２１ｄに設けられた挿通孔５，５，・・・，５に挿通された状態で固定されている。
【００９２】
従って、上側のカバー分体４１、左側のカバー分体４２、右側のカバー分体４３夫々は、前壁４１ａ，４２ａ，４３ａに、カバー分体４１，４２，４３をバックライトシャーシ２１に螺子止めで固定する溝を有していない。このため、表示パネル２２の表示面を縁取る前壁４１ａ，４２ａ，４３ａの幅を狭くすることができ、外観が良好である。
【００９３】
更に、カバー分体４１，４２，４３夫々をバックライトシャーシ２１に取り付ける場合に、突出部４１ｃ，４２ｃ，４３ｃ夫々の固定に、固定具、例えば螺子を用いる必要がないため、表示装置１０の部品点数が少なく、表示装置１０の製造にかかる手間が軽減され、製造費用が安い。
【００９４】
また、表示パネル２２、反射シート２５、光学シート群２７及び導光板２６等を支持するバックライトシャーシ２１が、外装体として、表示装置１０の一部をなし、バックライトシャーシ２１全体を覆う部材がない。このため、表示装置１０、及び、該表示装置１０を備えるテレビジョン受信機１の薄型化及び軽量化を達成することができる。
【００９５】
なお、第１孔５１及び第２孔５２の形状は矩形状に限定されない。第１孔５１は、突出部４１ｃ，４２ｃ，４３ｃ夫々の先端部分が挿通できる形状であればよい。第２孔５２は、突出部４１ｃ，４２ｃ，４３ｃ夫々に設けられた係止爪が第２孔５２の縁部に係止できる形状であればよい。
【００９６】
また、突出部４１ｃ，４２ｃ，４３ｃは実施の形態１で説明した形状に限定されない。
また、バックライトシャーシ２１の上壁２１ｂ、左壁２１ｃ及び右壁２１ｄ夫々に設けられる挿通孔５の数は、突出部４１ｃ，４２ｃ，４３ｃの数以上あればよい。更に、突出部４１ｃの数は、４に限定されず、上壁４１ｂの長さ範囲内に配置可能な適当な数であればよい。同様に、突出部４２ｃ，４３ｃ夫々の数は、３に限定されず、左壁４２ｂ及び右壁４３ｂの長さ範囲内に配置可能な適当な数であればよい。
【００９７】
また、カバー分体４１，４２，４３全てに突出部を設ける必要はなく、カバー分体４１，４２，４３，４４の少なくとも１つに突出部が設けられていればよい。
【００９８】
（実施の形態２）
実施の形態２におけるテレビジョン受信機１は、実施の形態１におけるテレビジョン受信機１と比較して、カバー分体４１，４２，４３夫々に設けられている突出部の形状、及び、バックライトシャーシ２１の上壁２１ｂ、左壁２１ｃ及び右壁２１ｄ夫々に設けられる挿通孔の形状が異なる。
【００９９】
以下では、実施の形態２における突出部及び挿通孔を説明し、実施の形態１と共通する実施の形態２の構成には同様の符号を付してその詳細な説明を省略する。
【０１００】
図１５は実施の形態２におけるカバー分体４１の断面図であり、図１６はカバー分体４１，４３及びバックライトシャーシ２１夫々の一部分を拡大した斜視図である。図１６には、右上後方から見たカバー分体４１の右部分、カバー分体４３の上部分、及び、バックライトシャーシ２１の右上部分が示されている。
【０１０１】
カバー分体４１の上壁４１ｂには、前壁４１ａに平行に突出する突出部６が設けられている。上壁４１ｂに設けられている突出部６は、左右方向を長手方向とする矩形板状をなし、長手方向の中央部に、前後方向に貫通した螺子孔６０を有している。
【０１０２】
図１６には、上壁２１ｂの右端に位置する突出部６が示されており、この突出部６は、実施の形態１において、突出部４１ｃ，４１ｃ，４１ｃ，４１ｃが配置されていた上壁４１ｂの４箇所に設けられている。
【０１０３】
カバー分体４２，４３夫々は、図１５に示すカバー分体４１と同様の断面を有する。前壁４２ａ，４３ａ夫々は前壁４１ａに、左壁４２ｂ及び右壁４３ｂ夫々は上壁４１ｂに対応している。
【０１０４】
カバー分体４３の右壁４３ｂにも、前壁４３ａに平行に突出している突出部６が設けられている。右壁４３ｂに設けられている突出部６は、上下方向を長手方向とする矩形板状をなし、長手方向の中央部に、前後方向に貫通した螺子孔６０を有している。
【０１０５】
図１６には、右壁４３ｂの上端に位置する突出部６が示されており、この突出部６は、実施の形態１において、突出部４３ｃ，４３ｃ，４３ｃが配置されていた右壁４３ｂの３箇所に設けられている。
【０１０６】
カバー分体４２は、カバー分体４３と同様であり、図１６に示す右壁４３ｂに設けられた突出部６と同様の突出部が、実施の形態１において、突出部４２ｃ，４２ｃ，４２ｃが配置されていた左壁４２ｂの３箇所に設けられている。
【０１０７】
図１６に示すように、上壁２１ｂには、挿通孔７が設けられている。挿通孔７は、左右方向に延びて断面が矩形状をなす長孔である。挿通孔７は、突出部６が挿通可能な幅及び長さを有している。底板２１ａの上側において、上壁２１ｂに設けられている挿通孔７の長手方向の中央部に対応する位置に螺子通し孔８０が設けられている。
【０１０８】
図１６には、上壁２１ｂの右端に位置する挿通孔７が示されており、この挿通孔７は、上壁４１ｂに設けられている突出部６，６，６，６に対応する上壁２１ｂの４箇所に設けられている。また、底板２１ａの上側において、上壁２１ｂに設けられている挿通孔７，７，７，７夫々の長手方向の中央部に対応する位置に、螺子通し孔８０，８０，８０，８０が設けられている。
【０１０９】
図１７は、カバー分体４１，４２，４３，４４の取付手順の説明図である。上側のカバー分体４１をバックライトシャーシ２１の上壁２１ｂに取り付ける場合、図１７の矢印で示すように、カバー分体４１の突出部６，６，６，６夫々を、上壁２１ｂに設けられている挿通孔７，７，７，７に挿通させる。
【０１１０】
その後、底板２１ａの上側に設けられた螺子通し孔８０，８０，８０，８０夫々に後述の螺子８１，８１，８１，８１（図１９参照）を通し、これらを、カバー分体４１の突出部６，６，６，６夫々に設けられた螺子孔６０，６０，６０，６０に螺合させる。
これにより、カバー分体４１がバックライトシャーシ２１の上壁２１ｂに取り付けられる。
【０１１１】
図１６に示すように、バックライトシャーシ２１の右壁２１ｄにも挿通孔７が設けられている。右壁２１ｄに設けられた挿通孔７は、上下方向に延びて断面が矩形状をなす長孔である。
【０１１２】
図１６には、右壁２１ｄの上端に位置する挿通孔７が示されており、この挿通孔７は、右壁４３ｂに設けられている突出部６，６，６に対応する右壁２１ｄの３箇所に設けられている。また、底板２１ａの右側において、右壁４３ｂに設けられている挿通孔７，７，７夫々の長手方向の中央部に対応する位置に、螺子通し孔８０，８０，８０が設けられている。
【０１１３】
右側のカバー分体４３をバックライトシャーシ２１の右壁２１ｄに取り付ける場合、図１７の矢印で示すように、カバー分体４３の突出部６，６，６を、右壁２１ｄに設けられている挿通孔７，７，７に挿通させる。
【０１１４】
その後、底板２１ａの右側に設けられた螺子通し孔８０，８０，８０夫々に螺子８１，８１，８１を通し、これらを、カバー分体４３の突出部６，６，６夫々に設けられた螺子孔６０，６０，６０に螺合させる。
これにより、カバー分体４３がバックライトシャーシ２１の上壁２１ｂに取り付けられる。
【０１１５】
バックライトシャーシ２１の左壁２１ｃにも、右壁２１ｄと同様に、３つの挿通孔７，７，７が設けられている。また、底板２１ａの左側において、左壁２１ｃに設けられている挿通孔７，７，７夫々の長手方向の中央部に対応する左側の位置に、螺子通し孔８０，８０，８０が設けられている。
左側のカバー分体４２は、カバー分体４３と同様にしてバックライトシャーシ２１の左壁２１ｃに取り付けられる。
【０１１６】
下側のカバー分体４４は、実施の形態１で説明した取付方法と同様にして、表示パネル２２の下側を覆うように、前側からバックライトシャーシ２１に取り付けられる。
【０１１７】
図１８は表示装置１０の縦断面図である。図１８には、カバー分体４１の突出部６が配置されている位置での表示装置１０の断面が示されている。カバー分体４１の前壁４１ａの下部分は、弾性部材３２を介して表示パネル２２の表示面に当接し、表示パネル２２の表示面の上側を覆っている。
【０１１８】
バックライトシャーシ２１の上壁２１ｂにおいて、挿通孔７，７，７，７は、表示パネル２２の後側に設けられている。カバー分体４１の突出部６，６，６，６は、上壁４１ｂから表示装置１０の内向きに突出しており、上壁２１ｂに設けられた挿通孔７，７，７，７に挿通されている。底板２１ａの上側に設けられた螺子通し孔８０，８０，８０，８０夫々は、カバー分体４１の突出部６，６，６，６夫々に設けられた螺子孔６０，６０，６０，６０に対向している。
【０１１９】
カバー分体４１は、底板２１ａの上側に設けられた螺子通し孔８０，８０，８０，８０夫々をバックライトシャーシ２１の外側から通した螺子８１，８１，８１，８１を、カバー分体４１の突出部６，６，６，６夫々に設けられている螺子孔６０，６０，６０，６０に螺合することによって確実に固定されている。
【０１２０】
図１９は表示装置１０の右部分を示す横断面図である。図１９には、表示パネル２２の右辺部分にＦＰＣ３４が接続されていない位置における表示装置１０の断面が示されている。
カバー分体４３の前壁４３ａの左部分は、弾性部材３２を介して表示パネル２２の表示面に当接し、表示パネル２２の右側を覆っている。
【０１２１】
バックライトシャーシ２１の右壁２１ｄに設けられている挿通孔７，７，７夫々は、表示パネル２２の後側に設けられている。カバー分体４３の突出部６，６，６は、右壁４３ｂから表示装置１０の内向きに突出しており、右壁２１ｄに設けられた挿通孔７，７，７に挿入されている。底板２１ａの右側に設けられた螺子通し孔８０，８０，８０夫々は、カバー分体４３の突出部６，６，６夫々に設けられた螺子孔６０，６０，６０に対向している。
【０１２２】
カバー分体４３は、底板２１ａの右側に設けられた螺子通し孔８０，８０，８０夫々をバックライトシャーシ２１の外側から通した螺子８１，８１，８１を、カバー分体４３の突出部６，６，６夫々に設けられている螺子孔６０，６０，６０に螺合することによって確実に固定されている。
【０１２３】
また、表示パネル２２の左辺部分にＦＰＣ３４が接続されていない位置における表示装置１０の左部分の横断面は、図１９に示す表示装置１０の右部分の横断面と同様である。
【０１２４】
図１８及び図１９夫々に示すように、上壁４１ｂ及び右壁４３ｂ夫々の幅は、バックライトシャーシ２１の上壁２１ｂ及び右壁２１ｄの幅よりも狭い。更には、表示装置１０の左部分の横断面は、表示装置１０の右部分の横断面と同様であるので、左壁４２ｂの幅も、バックライトシャーシ２１の左壁２１ｃの幅よりも狭い。このため、表示装置１０が薄く見え、表示装置１０の外観がより良好である。
【０１２５】
以上のように、表示パネル２２の上辺部分、左辺部分及び右辺部分夫々を覆うカバー分体４１，４２，４３夫々に設けられた突出部６，６，・・・，６は、バックライトシャーシ２１の上壁２１ｂ、左壁２１ｃ及び右壁２１ｄに設けられた挿通孔７，７，・・・，７に挿通された状態で固定されている。
【０１２６】
従って、上側のカバー分体４１、左側のカバー分体４２、右側のカバー分体４３夫々は、前壁４１ａ，４２ａ，４３ａに、カバー分体４１，４２，４３をバックライトシャーシ２１に螺子止めで固定する溝を有していない。このため、表示パネル２２の表示面を縁取る前壁４１ａ，４２ａ，４３ａの幅を狭くすることができ、外観が良好である。
【０１２７】
また、表示パネル２２、光学シート群２７、導光板２６及び反射シート２５等を支持するバックライトシャーシ２１が、外装体として、表示装置１０の一部をなし、バックライトシャーシ２１全体を覆う部材がない。このため、表示装置１０と、表示装置１０を備えるテレビジョン受信機１は薄くて軽い。
【０１２８】
なお、突出部６の形状は、矩形板状に限定されない。また、突出部６に設けられる螺子孔６０は、突出部６の長手方向の中央部に限定されない。螺子孔６０が突出部６の長手方向の中央部以外に設けられた場合、螺子通し孔８０は、螺子孔６０の位置に応じた底板２１ａの位置に設けられる。
【０１２９】
また、バックライトシャーシ２１の上壁２１ｂ、左壁２１ｃ及び右壁２１ｄ夫々に設けられる挿通孔７の数は、カバー分体４１，４２，４３に設けられる突出部６の数以上あればよい。更に、カバー分体４１に設けられる突出部６の数は４に限定されず、上壁４１ｂの長さ範囲内に配置可能な適当な数であればよい。また、カバー分体４２，４３夫々に設けられる突出部６の数は３に限定されず、左壁４２ｂ及び右壁４３ｂの長さ範囲内に配置可能な適当な数であればよい。
【０１３０】
また、カバー分体４１，４２，４３全てに突出部６を設ける必要はなく、カバー分体４１，４２，４３の少なくとも１つに突出部６が設けられていればよい。
【０１３１】
実施の形態１及び２において、制御回路２４はバックライトシャーシ２１の外側に配置されていなくてもよく、例えば、スタンド１３内に設けられた空間に配置してもよい。この場合、制御回路２４を覆う回路カバー３３が不要となるため、表示装置１０において回路カバー３３が設けられていた場所の厚さを更に薄くすることができ、表示装置１０を更に軽くすることができる。
【０１３２】
また、光源ユニットは、実施の形態１及び２で述べたエッジライト形の光源ユニットに限定されない。光源ユニットは、ＬＥＤ２９，２９，・・・，２９を底板２１ａに並置し、ＬＥＤ２９，２９，・・・，２９から光学シート群２７に直接出射する直下形の光源ユニットでもよい。
更に、ＬＥＤ２９，２９，・・・，２９の代わりに冷陰極管、例えば蛍光管を用いても良い。
【０１３３】
表示装置１０が表示する画像は、テレビジョン放送に基づく画像に限定されない。表示装置１０は、通信ネットワーク、例えばインターネットから取得された画像データに係る画像を表示してもよい。
【符号の説明】
【０１３４】
１  テレビジョン受信機
１０  表示装置
２１  バックライトシャーシ
２２  表示パネル
４  カバー
４１，４２，４３，４４  カバー分体
４１ｃ，４２ｃ，４３ｃ，４４ｃ，６  突出部
５，７  挿通孔
５１  第１孔
５２  第２孔
８１  螺子
【図１】
0005536833.tif 000002
【図２】
0005536833.tif 000003
【図３】
0005536833.tif 000004
【図４】
0005536833.tif 000005
【図５】
0005536833.tif 000006
【図６】
0005536833.tif 000007
【図７】
0005536833.tif 000008
【図８】
0005536833.tif 000009
【図９】
0005536833.tif 000010
【図１０】
0005536833.tif 000011
【図１１】
0005536833.tif 000012
【図１２】
0005536833.tif 000013
【図１３】
0005536833.tif 000014
【図１４】
0005536833.tif 000015
【図１５】
0005536833.tif 000016
【図１６】
0005536833.tif 000017
【図１７】
0005536833.tif 000018
【図１８】
0005536833.tif 000019
【図１９】
0005536833.tif 000020
【図２０】
0005536833.tif 000021